(57)【要約】【課題】本発明はセルブロードキャスト情報の遠隔アクセス方式に関し，一方の移動端末が位置する地域（セル）で取得したセルブロードキャスト情報を，異なる地域（セル）の利用者が同時に見ることができることを目的とする。【解決手段】基地局のセル内に位置する一方の移動端末は，セルブロードキャスト情報の受信手段と，受信したセルブロードキャスト情報の蓄積手段と，移動通信網を介した遠隔の移動端末との通信手段と，通信手段により遠隔の移動端末から要求されたセルブロードキャスト情報を選択して遠隔の移動端末に転送する転送手段とを備える。遠隔の移動端末は前記一方の移動端末から送信されたセルブロードキャスト情報を受信するセルブロードキャスト情報遠隔受信手段と，受信したセルブロードキャスト情報を表示する閲覧手段とを備えるよう構成する。【選択図】図１
2005073026.tif 000002
【特許請求の範囲】
【請求項１】
地域に関連した複数のセルブロードキャスト情報を移動通信網の基地局から常に報知し，移動端末でその情報を受信するセルブロードキャスト情報の遠隔アクセス方式において，
前記基地局のセル内に位置する一方の移動端末は，セルブロードキャスト情報の受信手段と，前記受信したセルブロードキャスト情報の蓄積手段と，移動通信網を介した遠隔の移動端末との通信手段と，前記通信手段により前記遠隔の移動端末から要求されたセルブロードキャスト情報を選択して前記通信手段から前記遠隔の移動端末に転送する転送手段とを備え，
前記遠隔の移動端末は前記一方の移動端末から送信されたセルブロードキャスト情報を受信するセルブロードキャスト情報遠隔受信手段と，前記受信したセルブロードキャスト情報を表示する閲覧手段とを備えることを特徴とするセルブロードキャスト情報の遠隔アクセス方式。
【請求項２】
請求項１において，
前記遠隔の移動端末に，転送を希望するセルブロードキャスト情報の種別及び転送先を含む転送セルブロードキャスト条件指定手段を設け，
前記一方の移動端末に，前記遠隔の移動端末から指定された転送セルブロードキャスト条件の記憶手段と，前記記憶手段に記憶された転送セルブロードキャスト条件により指定されたセルブロードキャスト情報を指定された条件により転送することを備えることを特徴とするセルブロードキャスト情報の遠隔アクセス方式。
【請求項３】
請求項１において，
前記通信手段は，移動通信網と接続されたメールサーバを介する電子メールを用いることを特徴とするセルブロードキャスト情報の遠隔アクセス方式。
【請求項４】
地域に関連した複数のセルブロードキャスト情報を移動通信網の基地局から常に報知し，移動端末でその情報を受信するセルブロードキャスト情報の遠隔アクセス方式において，
前記基地局のセル内に位置する一方の移動端末は，セルブロードキャスト情報の受信手段と，前記受信したセルブロードキャスト情報の蓄積手段と，移動通信網を介した遠隔の移動端末との通信手段と，前記通信手段により当該移動端末で指定した種別のセルブロードキャスト情報を選択して前記通信手段から遠隔の移動端末に転送する転送手段とを備え，
前記遠隔の移動端末は前記一方の移動端末から送信されたセルブロードキャスト情報を受信するセルブロードキャスト情報遠隔受信手段と，前記受信したセルブロードキャスト情報を表示する閲覧手段とを備えることを特徴とするセルブロードキャスト情報の遠隔アクセス方式。
【請求項５】
請求項１乃至４のいずれかにおいて，
前記遠隔の移動端末の代わりに前記一方の移動端末と移動通信網を介して通信する手段を備えた固定の端末を設けることを特徴とするセルブロードキャスト情報の遠隔アクセス方式。
【発明の詳細な説明】
【技術分野】
【０００１】
本発明は，移動通信網の基地局からその地域の情報を送出するセルブロードキャストサービスにおいて，遠隔の移動端末で受信したセルブロードキャスト情報の遠隔アクセス方式に関する。
【０００２】
移動通信の第３世代の技術の標準を策定するためのパートナーシッププロジェクトとして多数の国の標準化機関により３ＧＰＰ（３rd Generation Partnership Project)という機構が設けられ, その機構により新たなサービスとしてセルブロードキャストサービスが，３ＧＰＰＴＳ23.041(Technical Realization of CellBroadcast Service(CBS)) として仕様が詳細に規定されている。
【背景技術】
【０００３】
図８は従来のセルブロードキャストサービスのシステム構成を示す。図中，５０はインターネットと接続したセルブロードキャストセンタ，５１は移動交換局（ＭＳＣ：Mobile Switching Center)，５２−１はインターネット５３に接続され，セルブロードキャスト情報をセルブロードキャストセンタ５０に提供するためのセルブロードキャストコンテンツ指定サーバ，５２−２はインターネット５３に接続され一般利用者に対し情報検索サービスを提供するＷｅｂサーバ，５３はインターネット，５４−１〜５４−３はラジオネットワークコントローラ（ＲＮＣ），５５−１〜５５−６は基地局（ＢＴＳ:Base Tranceiver Station) ，５６−１〜５６−６は各基地局の通信エリアであるセル（Cell-1〜Cell-6で表す) ，５７ａ，５７ｂは携帯電話機等の移動端末である。
【０００４】
セルブロードキャストサービスは，各基地局５５で送信するセルブロードキャスト（ＣＢ）情報を管理，スケジューリングし，各セルに対応した複数種の放送情報（メッセージにより構成）を作成する。
【０００５】
図９はセルブロードキャストにより提供される複数種類の情報の例を示す。図中，０，２０，３４，２００，……，９４０の各数値はメッセージＩＤ（メッセージ識別番号：ＭＩＤ（Message ID))を表し，このメッセージＩＤにより区別される各情報はチャネルと呼ばれる。０のメッセージＩＤはインデックスを表し，２０は「病院」に関する情報，３０は「レストラン」，３４は「タクシ」等の案内情報，２００は「ニュース」，２０１は「国際ニュース」，２０２は「国内ニュース」，２０３は「地域ニュース」，３００は「スポーツ」，３０１は「サッカーのニュース」，３０２は「ホッケーの結果」，３０３は「野球の結果」，４０１は「経済ニュース」，５０１は「地域の天気予報」，５０２は「全国の天気予報」，……というように各種の情報（メッセージ）が含まれている。
【０００６】
図１０はセルブロードキャスト情報のフォーマットの例であり，上記３ＧＰＰ  ＴＳ 23.041 により規定されている。図９の各メッセージＩＤの情報は，図１０のＡ．に示すフォーマットを備え，フォーマットに示す各パラメータはＢ．に示されている。すなわち，先頭にメッセージタイプ(Message Type)が設定され，これはＣＢメッセージかスケジュールメッセージ（間欠受信を行うための制御情報）かの識別子であり，次にメッセージ識別番号（Message ID) が設定され，続いてシリアル番号（同じメッセージ識別番号の情報が更新されるとこの情報が更新される）が設定され，更に文字コード種別や言語種別を表すデータコーディングスキーム（Data Coding Scheme) が設定され，最後にＣＢデータ（メッセージ）が設定される。
【０００７】
上記図９に示す各チャネルの情報は，それぞれ異なる周期で，時々刻々変化（更新）し，変化したかどうかは，上記図１０に示すシリアル番号が更新されることによって移動端末側で認識できる。例えば，「病院」や「タクシ」等の案内情報は長い周期（一週間程度）で更新され，「天気予報」等は短時間（１時間毎）で更新される。これらの各種の情報は，例えば，インターネット５３に接続されたセルブロードキャストコンテンツ指定サーバ５２−１からセルブロードキャストセンタ５０に更新情報が供給されて，各情報の種類に応じて最新の情報が提供される。セルブロードキャストセンタ５０は基地局５５のセル（エリア）に対応した複数の情報（地域に対応した案内情報や天気予報等を含む）を含む図９に示す複数チャネル分のメッセージからなるセルブロードキャスト情報を作成し，これらの情報（テキスト形式のメッセージ）はシリアル信号として各セルのエリアに設けられた基地局５５−１〜５５−６の上位局であるラジオネットワークコントローラ５４−１〜５４−３に送信され，ラジオネットワークコントローラ５４−１〜５４−３からそれぞれの配下の基地局５５−１〜５５−６に送信される。各基地局はそれぞれの通信可能なエリアであるセルに対して，予めセルブロードキャスト用に決められた特定の無線チャネルにより常時送信される。
【０００８】
ＣＢサービスは，その特定の基地局だけで有効な情報から，広域的な情報まで提供可能であるが，ローカルな情報提供手段として利用される場合，利用者がいる現在地を意識しなくてもその地域の情報が得られる点で利用価値が高い。例えば，たまたま行った場所で，近くの映画上映情報が見られると，その時間にあった映画から観たいものを選択することができる。
【０００９】
図８のセル５６−１にいる移動端末５７ａの利用者Ａがセルブロードキャストの信号を受信したい場合，移動端末５７ａの利用者Ａが受信したいセルブロードキャストのチャネル（メッセージＩＤ）受信を選択すると，利用者Ａが位置する基地局５５−１のエリアであるセル５６−１で報知されているセルブロードキャスト情報が受信可能となる。この場合，提供される全チャネルを移動端末５７ａに表示することは通常不可能（表示画面のサイズにより制限される）であり，利用者Ａの移動端末５７ａには，図９に示すようなセルブロードキャストの情報のインデックスが表示され，利用者Ａがその中から知りたいチャネル（項目）のメッセージＩＤを指定する。この時，複数チャネル（個数は制限される）を指定することができ，指定されたチャネルのメッセージが移動端末５７ａの内部動作により選択されたチャネルのセルブロードキャスト情報（メッセージ）が画面に表示される。このようにして，セルブロードキャストサービスは，基地局が配備されている地域の情報として，気象情報，近隣のレストラン，映画館，コンサート情報等をリアルタイムで提供することができる。
【００１０】
しかし，そのようなセルブロードキャスト情報は必ずしもその地域にいる人だけが必要としているわけではない。例えば，友達と待ち合わせをし，その場所に向かっている場合，待ち合わせ場所での地域情報を受信したいと思うことがある。また，友達が，たまたまＣＢサービスで見つけた面白い情報を，遠隔の友達に見せたいと思う場合もある。
【００１１】
例えば，セル１に位置する利用者Ａが当該セル１用のセルブロードキャスト情報の中からレストラン情報を見た時，異なる地域であるセル６に位置する利用者Ｂに同じ情報を見せて相談したいと思っても，利用者Ｂはセル６の地域に対応したセルブロードキャスト情報しか受信できない。
【００１２】
この場合，利用者Ｂが移動端末５７ｂを使って，セル５６−１の地域情報を見る方法として次の(1) の方法があり，この方法から(2) の方法が考えられる。
【００１３】
(1) 利用者Ａの現在位置を取得して，移動端末５７ｂからセル５６−６の基地局５５−６，ラジオネットワークコントローラ５４−３，ゲートウェイ（図８では図示省略されたラジオネックワークコントローラとインターネット５３との接続装置）を介してインターネット５３のＷｅｂサーバ５２−２にアクセスし，セル５６−１の地域の情報を探す方法。
【００１４】
(2) セルブロードキャスト情報を，セルブロードキャストコンテンツ指定センタ５２−１からＷｅｂサーバ５２−２にも掲載するようにして，外部の端末（移動端末５７ｂや，インターネットに接続されたパーソナルコンピュータ等）からその情報にアクセスする方法。
【００１５】
また，セルブロードキャストサービスを使用しないで地域情報を別の端末から取得する方法として「地域情報の提供方法及びシステム」（特許文献１参照）が提案されている。その方法は，情報検索機能を持つ端末機によりこれから出かけようとする目的の地域の地図や交通機関等の地域情報をデータベースを検索して取得して，その地域情報が登録されている場所を示すＩＤを，その地域に携帯する端末のＥメールアドレスを指定してインターネットを介して電子メールサイトのメールサーバに登録しておき，出張等で目的地に出かけた者が携帯端末からメールサーバにアクセスし，サーバに登録されていた地域情報を取得するという方法である。
【特許文献１】特開２００１−６７２９６号公報
【発明の開示】
【発明が解決しようとする課題】
【００１６】
上記した(1) の方法では，地図や住所などから場所を特定してインターネットにアクセスする必要があるが，他の利用者Ｂが遠隔地にいる利用者Ａの現在地の正確な場所（地名）を知ることは簡単ではなく，現在地を知ることができたとしても，利用者Ａがセルブロードキャスト情報から取得した情報と，利用者Ｂがインターネットから取得した情報が同一であるとは限らないため，同じ情報を用いて相談することができるとは限らない。上記(2) の方法についても上記と同様に他の利用者Ｂが取得した情報が利用者Ａのセルブロードキャスト情報と全く同一情報であるという保証はない。何故なら，場所が微妙に違うことにより情報が変わることもあるし，その情報にたどり着くのに手間がかかるためである。
【００１７】
更に，上記特許文献１の方法は，予めメールサーバに必要な地域情報を登録しておいて，後でその地域情報をメールサーバから取り出すという技術であり，異なる遠隔の位置にいる複数の利用者が同じセルブロードキャスト情報を見るという目的を実現することはできない。
【００１８】
本発明は一方の移動端末が位置する地域（セル）で取得したセルブロードキャスト情報を，異なる地域（セル）の利用者が同時に見ることができるセルブロードキャスト情報の遠隔アクセス方式を提供することを目的とする。
【課題を解決するための手段】
【００１９】
図１は本発明の原理構成を示し，図１のＡ．は送信側の移動端末の構成，Ｂ．は受信側の移動端末の構成を示す。なお，実際には，一つの移動端末にＡ．とＢ．の両方の構成が含まれる。
【００２０】
図１のＡ．において，１は送信側の移動端末，１０は受信部，１１は送信部，１２はＣＢ（セルブロードキャスト）受信手段，１３はＣＢ蓄積手段，１４はセルブロードキャスト情報転送手段，１５は通信手段，１６はＣＢ転送制御部，１６ａは遠隔転送ＣＢ条件記憶手段，１６ｂは遠隔転送対象ＣＢ条件指定手段，１６ｃは遠隔転送先確認手段である。また，図１のＢ．において，２は受信側の移動端末，２０は受信部，２１は送信部，２２は通信手段，２３はＣＢ（セルブロードキャスト）受信制御部，２３ａはＣＢ情報遠隔受信手段，２３ｂは遠隔受信ＣＢ閲覧手段，２３ｃは転送ＣＢ条件指定手段，２３ｄは遠隔転送元確認手段である。図１のＡ．及びＢ．では，入力手段（キー）や表示手段が図示省略されている。
【００２１】
なお，移動端末は，送信側と受信側の両方の機能を実現する場合，図１のＡ．とＢ．の両方の構成を備えてもよい。また，Ｂ．に示す受信側の移動端末は，固定網に接続された端末（コンピュータ等）でもよい。
【００２２】
図２は本発明によるネットワークを介した動作例である。図中，３はセルブロードキャストセンタ，４は移動交換局（ＭＭＳ），５は移動交換局４の下位に配置された複数のラジオネットワークコントローラ（ＲＮＣ），６−１〜６−６はそれぞれのセル（通信エリア）毎に設けられた基地局（ＢＴＳ），７−１〜７−６は各基地局６−１〜６−６に対応する通信エリアであるセルを表す。なお，３，４，５−１〜５−３，６−１〜６−６，７−１〜７−６の各符号は上記図８に示す符号５０，５１，５４，５５，５６と同じである。
【００２３】
図１及び図２を用いて作用を概説すると，移動端末１のユーザが受信を希望するＭＩＤ（メッセージＩＤ）を選択（１個または複数個）し，セルブロードキャストの受信開始の操作（メニュー等から開始を選択する等）を行うと，この移動端末はセルブロードキャストの受信を開始し，この移動端末１の現在位置のセル７−１に対応する選択されたセルブロードキャスト情報が移動端末１（図１のＡ）のセルブロードキャスト受信手段１２で受信されセルブロードキャスト蓄積手段１３に蓄積され，表示手段（図示省略）に表示される。一方，他の移動端末２のユーザが移動端末１のユーザが見ているセルブロードキャスト情報（例えば，セル７−１の近辺のレストラン情報）を見る必要がある場合，移動端末１と移動端末２との間でそれぞれの基地局６−１，６−６，ラジオネットワークコントローラ５−１，５−３及び移動交換局４という移動通信網を介した通話を行う等によりＣＢの転送が決まると，移動端末２のＣＢ受信制御部２３から転送ＣＢ条件指定手段２３ｃで転送条件（パケット通信，回線交換型データ通信，または電子メールの添付ファイル等の転送方法等）を指定し，遠隔転送元確認手段２３ｄで転送元（移動端末１の電話番号等）を確認（入力または指定）して通信手段２２を駆動することで，送信部２１から移動通信網を介して移動端末１へ送られる。
【００２４】
移動端末１は受信部１０，通信手段１５を介してＣＢ転送制御部１６の遠隔転送対象ＣＢ条件指定手段１６ｂで移動端末２からのＣＢ条件を受け取って，更に遠隔転送先確認手段１６ｃで転送先（移動端末２の電話番号）を確認することで移動端末２への転送を許容する。遠隔転送ＣＢ条件記憶手段１６ａに転送先やＣＢ条件の情報が設定される。これによりセルブロードキャスト情報転送手段１４は，セルブロードキャスト蓄積手段１３に記憶された条件に従ってセルブロードキャスト蓄積手段１３に蓄積された情報を通信手段１５から送信部１１に転送して，送信が行われる。転送されたセルブロードキャスト情報は，移動端末２の受信部２０から通信手段２２を通ってセルブロードキャスト情報遠隔受信手段２３ａから遠隔受信ＣＢ閲覧手段２３ｂに出力され，ユーザにより閲覧可能となる。
【００２５】
なお，移動端末１から移動端末２へのセルブロードキャスト情報の転送は，移動通信網を介したパケットまたはデータ通信（回線交換型）により行われるが，移動端末１から直接移動端末２へ転送せず，一旦インターネット（図２では図示省略）のメールサーバに蓄積（宛先を移動端末２とする）して，その内容を移動端末２が読み込むことにより移動端末２へ転送するようにしてもよい。
【発明の効果】
【００２６】
本発明により，移動網やインターネットを含むネットワーク側に特殊な機能を設けることなく，遠隔のセルブロードキャスト情報を取得して見ることが可能となる。また，インターネットにセルブロードキャスト情報を提供する設備を設けた場合に，情報アクセスにかかるユーザの手間が軽減される。
【００２７】
また，アクセスしたい情報が，場所固定で，遠隔端末の場所特有の情報である場合に，ユーザが簡単にアクセス可能となる。
【発明を実施するための最良の形態】
【００２８】
図３は本発明が実施される移動端末のハードウェア構成を示す。図中，１００は移動端末，１０１はＣＰＵ，１０２はデータや移動端末の各種機能を実現するプログラムを格納するメモリ，１０３はスピーカ，１０４はマイクロホン（Ｍｉｃ），１０５はディスプレイ（Ｄｉｓｐｌａｙ），１０６はキーボード（ｋｅｙ），１０７は無線機，１０７ａは送信機，１０７ｂは受信機，１０８はアンテナである。
【００２９】
図４は本発明が実施されるネットワーク構成を示す，図４において，１，３，４，５−１〜５−３，６−１〜６−６，７−１〜７−６の各符号は上記図２に示す同一符号と同じであり説明を省略する。２ａ〜２ｃはセルブロードキャスト情報を閲覧するための異なる種類の端末を表し，２ａはパケット通信機能を備える移動端末，２ｂはインターネットを介したメールの通信を行う端末（コンピュータ等），２ｃは回線交換型の通信を行う端末（移動または固定）である。８はインターネット，８０はインターネットに接続されたメールサーバ，８１は移動通信網のラジオネットワークコントローラ（ＲＮＣ）５−１〜５−３とインターネット８との通信を仲介するゲートウェイである。なお，移動端末２ａの代わりに通信機能を備えた端末（コンピュータ等）を使用することができる。
【００３０】
図５は遠隔からの転送要求によるＣＢ転送の動作シーケンスの例を示す。図５の左端の(1) はＣＢ送信機構であるＣＢＣ／ＲＮＣ／ＢＴＳを表し，図４のセルブロードキャストセンタ（ＣＢＣ）３，ラジオネットワークコントローラ（ＲＮＣ）５−１〜５−３，基地局（ＢＴＳ）６−１〜６−６を表し，(2) は移動端末１，(3) は移動網（移動交換局４やゲートウェイ８１を介したインターネット８を含む），(4) は移動端末２ａ，(5) は端末２ｂ，(6) は移動端末２ｃを表し，この動作シーケンスの例では複数の端末から移動端末１に対して並行してセルブロードキャスト情報の転送を要求し，複数の転送を並列に実行する。
【００３１】
最初に移動端末２ａ（電話番号０９０１２×××××）から移動端末１に対してパケット接続（パケット交換網を介した接続）を行い，ＣＢ転送要求を送信する（図５のａ）。このＣＢ転送要求には，自装置の電話番号及び受信したいＣＢ情報のＭＩＤ（メッセージＩＤ）を１または複数個が設定される。これを受けた移動端末１はＣＢ転送を許容するか否かユーザに問い合わせる（図５のＳ１）。この場合，転送要求を移動端末１のディスプレイ（図３の１０５）に表示し，ＯＫ，ＮＯのボタンを表示して何れかを選択させる。ＣＢ転送を許容する選択が行われると，移動端末１から移動端末２ａに許容（ＯＫ）を表す旨が通知され（図５のｂ），拒否（ＮＯ）を選択するとその旨が通知される。ＣＢ転送を許容した場合，移動端末１のメモリ（図３の１０２）に設けた遠隔転送ＣＢ条件のテーブル（図１の遠隔転送ＣＢ条件記憶手段１６ａに対応）に，移動端末２ａの電話番号やＭＩＤ等が送信先として書き込まれて，ＣＢ遠隔転送機能を起動し（図５のＳ２），指定されたＭＩＤの受信を開始する（同Ｓ３）。なお，移動端末２ａは移動端末１からＣＢ転送許可の通知を受け取ると，自装置のＣＢ遠隔受信機能を起動する（図５のＳ４）。
【００３２】
図５の動作シーケンスの例では，続いて端末２ｂからＣＢ転送要求が発生する（図５のｃ）。この転送要求には，要求するセルブロードキャストのＭＩＤと要求元の端末２ｂのＩＰアドレスが設定されており，メールサーバへの転送であることを示している。移動端末１ではこれを受け取ると，上記Ｓ１と同様にＣＢ転送を許容するか否かユーザに問いあわせ（図５のＳ５），許容する場合は許容（ＯＫ）を表す旨が通知され（図５のｄ），上記の移動端末２ａの場合と同様に端末２ｂについて，移動端末１のメモリの遠隔転送ＣＢ条件を記憶するエリアに，端末２ｂのＩＰアドレス，ＭＩＤ等が書き込んだ上で，指定されたＭＩＤの受信を開始する（図５のＳ６）。なお，拒否の場合はその旨が通知される。
【００３３】
図６は転送元移動端末に記憶される遠隔転送セルブロードキャスト条件の例を示す。「ＣＢ送信先」として電話番号やＩＰアドレスが設定され，「送信対象ＭＩＤ」は各送信先宛に１個または複数個設定され，「送信方法」として直接要求元の端末に転送する「パケット」（図示されないパケット交換網を介して伝送され，宛先を含むヘッダ部とデータ部とで構成される），メールサーバへ転送される「イーメール」か，「回線交換型（データ通信）」（直接相手要求元の端末へ回線型交換機を介して転送する）かが設定される。
【００３４】
ＣＢ転送要求を受け取った後，移動端末１でセルブロードキャストセンタからのセルブロードキャスト受信を行うと（図５のｅ），受信ＭＩＤが遠隔転送ＣＢ条件のテーブル（図６参照）にあるかチェックする（図５のＳ７）。テーブルにあるＭＩＤについては，対応して設定された送信先端末へ，指定された送信手段（方法）で送信する動作を実行する（図５のＳ８）。図５では，送信手段としてパケットの場合（Ｓ８０）と，メールの場合（Ｓ８１）の２つの例を示す。
【００３５】
送信手段がパケットの場合，図５のＳ８０に示すように，移動端末１から移動端末２ａに対しリンクを確立する（図５のｆ）。この時のリンクは，ＴＣＰ／ＩＰ（Trasfer Control Protocol/Internet Protocol) を用いてもよいが，リアルタイム性を要求する場合は，ＵＤＰ（User Datagram Protocol) でもよい。移動端末１と移動端末２ａともにＣＢを送信，受信するための手順（プロトコル）を独自に決める必要がある。また，移動端末２ａには遠隔転送ＣＢ情報を受信し，表示するためのアプリケーションが必要である。
【００３６】
移動端末１がＣＢ情報を転送する場合，まずパケット通信を用いて移動端末２ａとの間でＴＣＰリンクを確立する（図５のｆ）。その後，ＣＢ転送要求を移動端末１から移動端末２ａに送信し（図５のｇ），相手の移動端末２ａから受信ＯＫ（誤りなく受信したことを表す）が送られてくると（同ｈ），転送を終了する。移動端末２ａでは，ユーザに転送されたＣＢ情報を表示する（図５のＳ８０’）。このパケットによる移動端末１と２ａ間でのＣＢ情報の転送は，上記図４のＢのルートを介して実行する。なお，Ｂのルートでは，複数のＲＮＣ５−１〜５−３を通ってパケットが転送される。
【００３７】
送信手段がメールの場合，図５のＳ８１に示すように，移動端末１から移動網（メールサーバ）に対し，指定されたＣＢ情報をメールに添付して送信する（図５のｉ）。端末２ｂは通常のメールアプリケーションで，メールサーバにアクセスしてメールを受信し（図５のｊ），ユーザはメール機能で受信したＣＢ情報を閲覧する（図５のＳ８１’）。このメールにより転送は，図４のＡ及びＡ’のルートにより実行される。
【００３８】
この後も，移動端末１でセルブロードキャストセンタからのセルブロードキャスト受信を行うと（図５のｋ，内容はＭＩＤに対応した周期で更新される），上記Ｓ８と同じ処理を繰り返して，転送要求されたＭＤＩの情報をそれぞれの端末へ転送する（図５のＳ９）。
【００３９】
上記図５の動作シーケンスでは，遠隔の端末からのＣＢ転送要求を行ったのに対し，転送元からの指定でＣＢを転送する場合の動作シーケンスを図７に示す。
【００４０】
図７の場合も，(1) ，(2) ，(3) 及び(4) は上記図５の同一符号の各部と同じであり，(4) で表す転送先の端末は移動端末２ａとする。移動端末１から転送先の移動端末２ａに対し，ＣＢ遠隔受信要求を送信する（図７のａ）。この要求には転送元端末の電話番号とＭＩＤを設定する。これを受け取った移動端末２ａではＣＢ遠隔受信を許容するか否かユーザ（移動端末２ａのユーザ）に問い合わせる（図７のＳ１）。受信を許容する選択をすると，移動端末１に対して許容（ＯＫ）の旨が通知され（図７のｂ），移動端末２ａはＣＢ遠隔受信機能を起動する（図７のＳ２）。移動端末１は転送許容（ＯＫ）の通知を受け取ると，ＣＢ遠隔転送機能を起動し（図７のＳ３），指定されたＭＩＤの受信を開始し（同Ｓ４），この後は上記図５のＳ８と同様の方法により移動端末１から移動端末２ａへＣＢ情報が転送される。
【００４１】
また，図４のＣ．に示す回線交換型データ通信によりＣＢ転送のルートによる動作シーケンスは，上記のパケットによる転送と同様に行われる。
【００４２】
なお，指定されたセルブロードキャスト情報をメールで送信する場合，タイトルにＣＢのＭＩＤを設定することにより，メールのアプリケーションプログラムによりタイトルでソートを行うのと同じＭＩＤのＣＢが並ぶことになり，特別な分類機能を実装することなくＣＢ情報を分類可能となる。また，時刻情報のソートと同時に用いれば，同一ＭＩＤのＣＢ情報のうち最新のものを容易に識別可能となる。
【００４３】
（付記１）  地域に関連した複数のセルブロードキャスト情報を移動通信網の基地局から常に報知し，移動端末でその情報を受信するセルブロードキャスト情報の遠隔アクセス方式において，前記基地局のセル内に位置する一方の移動端末は，セルブロードキャスト情報の受信手段と，前記受信したセルブロードキャスト情報の蓄積手段と，移動通信網を介した遠隔の移動端末との通信手段と，前記通信手段により前記遠隔の移動端末から要求されたセルブロードキャスト情報を選択して前記通信手段から前記遠隔の移動端末に転送する転送手段とを備え，前記遠隔の移動端末は前記一方の移動端末から送信されたセルブロードキャスト情報を受信するセルブロードキャスト情報遠隔受信手段と，前記受信したセルブロードキャスト情報を表示する閲覧手段とを備えることを特徴とするセルブロードキャスト情報の遠隔アクセス方式。
【００４４】
（付記２）  付記１において，前記遠隔の移動端末に，転送を希望するセルブロードキャスト情報の種別及び転送先を含む転送セルブロードキャスト条件指定手段を設け，前記一方の移動端末に，前記遠隔の移動端末から指定された転送セルブロードキャスト条件の記憶手段と，前記記憶手段に記憶された転送セルブロードキャスト条件により指定されたセルブロードキャスト情報を指定された条件により転送することを備えることを特徴とするセルブロードキャスト情報の遠隔アクセス方式。
【００４５】
（付記３）  付記１において，前記通信手段は，他の端末との間でパケット通信を行う機能を備え，移動通信網のパケット通信により前記セルブロードキャスト情報を転送することを特徴とするセルブロードキャスト情報の遠隔アクセス方式。
【００４６】
（付記４）  付記１において，前記通信手段は，移動通信網と接続されたメールサーバを介する電子メールを用いることを特徴とするセルブロードキャスト情報の遠隔アクセス方式。
【００４７】
（付記５）  付記４において，前記通信手段は，セルブロードキャストの情報種別を表すメッセージＩＤ（ＭＩＤ）をタイトルに表示し，電子メールによりセルブロードキャスト情報を受信した端末で，情報種別毎にＣＢ情報をソートすることを特徴とするセルブロードキャスト情報の遠隔アクセス方式。
【００４８】
（付記６）  地域に関連した複数のセルブロードキャスト情報を移動通信網の基地局から常に報知し，移動端末でその情報を受信するセルブロードキャスト情報の遠隔アクセス方式において，前記基地局のセル内に位置する一方の移動端末は，セルブロードキャスト情報の受信手段と，前記受信したセルブロードキャスト情報の蓄積手段と，移動通信網を介した遠隔の移動端末との通信手段と，前記通信手段により当該移動端末で指定した種別のセルブロードキャスト情報を選択して前記通信手段から前記遠隔の移動端末に転送する転送手段とを備え，前記遠隔の移動端末は前記一方の移動端末から送信されたセルブロードキャスト情報を受信するセルブロードキャスト情報遠隔受信手段と，前記受信したセルブロードキャスト情報を表示する閲覧手段とを備えることを特徴とするセルブロードキャスト情報の遠隔アクセス方式。
【００４９】
（付記７）  付記１乃至６のいずれかにおいて，前記遠隔の移動端末の代わりに前記一方の移動端末と移動通信網を介して通信する手段を備えた固定の端末を設けることを特徴とするセルブロードキャスト情報の遠隔アクセス方式。
【図面の簡単な説明】
【００５０】
【図１】本発明の原理構成を示す図である。
【図２】本発明によるネットワークを介した動作例を示す図である。
【図３】本発明が実施される移動端末のハードウェア構成を示す図である。
【図４】本発明が実施されるネットワーク構成を示す図である。
【図５】遠隔からの転送要求によるＣＢ転送動作シーケンスの例を示す図である。
【図６】転送元移動端末に記憶される遠隔転送セルブロードキャスト条件の例を示す図である。
【図７】転送元からの指定でＣＢ情報を転送する場合の動作シーケンスを示す図である。
【図８】従来のセルブロードキャストサービスのシステム構成を示す図である。
【図９】セルブロードキャストにより提供される複数種情報の例を示す図である。
【図１０】セルブロードキャスト情報のフォーマットの例を示す図である。
【符号の説明】
【００５１】
１          送信側の移動端末
１０，２０  受信部
１１，２１  送信部
１２        ＣＢ（セルブロードキャスト）受信手段
１３        ＣＢ蓄積手段
１４        セルブロードキャスト情報転送手段
１５，２２  通信手段
１６        ＣＢ転送制御部
１６ａ      遠隔転送ＣＢ条件記憶手段
１６ｂ      遠隔転送対象ＣＢ条件指定手段
１６ｃ      遠隔転送先確認手段
２          受信側の移動端末
２３        ＣＢ受信制御部
２３ａ      ＣＢ情報遠隔受信手段
２３ｂ      遠隔受信ＣＢ閲覧手段
２３ｃ      転送ＣＢ条件指定手段
２３ｄ      遠隔転送元確認手段
【図１】
2005073026.tif 000003
【図２】
2005073026.tif 000004
【図３】
2005073026.tif 000005
【図４】
2005073026.tif 000006
【図５】
2005073026.tif 000007
【図６】
2005073026.tif 000008
【図７】
2005073026.tif 000009
【図８】
2005073026.tif 000010
【図９】
2005073026.tif 000011
【図１０】
2005073026.tif 000012